(57)【要約】【課題】発光点の位置を変化させないで、容易に光軸調整が可能な構造を有する光ヘッド及び光ピックアップ装置を提供する。【解決手段】光ヘッド１は、レーザダイオード１１を保持するレーザホルダ２１と、レーザホルダ２１を保持するホルダ受け台３１とから構成されており、レーザホルダ２１には発光点ＥＰを通り光軸Ｐに垂直な中心軸Ｃをもつ円弧面から構成される当接部２３を設けられる一方、ホルダ受け台３１には光軸Ｐに垂直であり当接部２３が当接する平面状の受け面３２が形成されている。すなわち、発光点ＥＰは当接部２３を構成する円弧面の中心軸Ｃ上にあるので、光軸調整のためにレーザホルダ２１を傾けても、発光点ＥＰの位置が変化しないので、容易に光軸調整を行うことができる。【選択図】図２
2007012184.tif 000002
【特許請求の範囲】
【請求項１】
レーザダイオードを保持するレーザホルダと、該レーザホルダを保持するホルダ受け台とを備え、前記レーザダイオードからのレーザ光を情報記録媒体に照射して情報の記録／再生を行う光ヘッドにおいて、
前記レーザホルダは、前記レーザダイオードを固定する枠体であり、該枠体の底部に突設された当接部を有し、
前記ホルダ受け台は、前記当接部を当接支持する受け面及び前記レーザ光を通過させる貫通孔を有し、
前記受け面は、前記光ヘッドの光軸に略垂直な平面であり、前記当接部は前記レーザダイオードの発光点を通り前記光軸に垂直な中心軸を有する円弧面としてあることを特徴とする光ヘッド。
【請求項２】
前記当接部は、前記枠体の対向する２箇所に一対形成してあることを特徴とする請求項１に記載の光ヘッド。
【請求項３】
前記レーザホルダは、前記底部に対向する頭部に前記当接部に対応した頭頂部を有し、前記ホルダ受け台は、前記当接部が前記受け面を押圧する方向に前記頭頂部を押圧する押圧手段を有してあることを特徴とする請求項１又は請求項２に記載の光ヘッド。
【請求項４】
前記頭頂部は、前記中心軸を有する円弧面からなる突起であり、
前記押圧手段は、前記光軸に垂直な平面状の押圧面を有する押圧部材によって前記頭頂部を押圧する構成としてあることを特徴とする請求項３に記載の光ヘッド。
【請求項５】
前記中心軸から前記当接部の円弧面までの距離は、前記中心軸から前記頭頂部の円弧面までの距離より小さいことを特徴とする請求項４に記載の光ヘッド。
【請求項６】
前記当接部は、円弧面に連続して外接するテーパー面を有することを特徴とする請求項１乃至請求項５のいずれか一つに記載の光ヘッド。
【請求項７】
レーザダイオードを保持するレーザホルダと、該レーザホルダを保持するホルダ受け台とを備え、前記レーザダイオードからのレーザ光を情報記録媒体に照射して情報の記録／再生を行う光ヘッドにおいて、
前記レーザホルダは、前記レーザダイオードを固定する枠体であり、該枠体の底部には２平面が交差する稜線部を突設した当接部が設けられ、
前記ホルダ受け台は、前記当接部を当接支持する受け面及び前記レーザ光を通過させる貫通孔を有し、
前記受け面は、前記光ヘッドの光軸に略垂直な平面であり、前記稜線部は、前記レーザダイオードの発光点を通り前記光軸に垂直な直線に一致していることを特徴とする光ヘッド。
【請求項８】
前記当接部は、前記枠体の対向する２箇所に一対形成してあることを特徴とする請求項７に記載の光ヘッド。
【請求項９】
前記レーザホルダは、前記底部に対向する頭部に前記当接部に対応した頭頂部を有し、該頭頂部は、前記稜線部を中心軸とする円弧面からなる突起であり、
前記ホルダ受け台は、前記光軸に垂直な平面状の押圧面を有する押圧部材によって前記頭頂部を押圧する手段を有することを特徴とする請求項７又は請求項８に記載の光ヘッド。
【請求項１０】
前記ホルダ受け台は、光ピックアップ装置のハウジングと一体化してあることを特徴とする請求項１乃至請求項９のいずれか一つに記載の光ヘッド。
【請求項１１】
光ヘッドからのレーザ光を情報記録媒体に照射して情報の記録／再生を行う光ピックアップ装置において、
前記光ヘッドは、請求項１乃至請求項１０のいずれか一つに記載の光ヘッドであることを特徴とする光ピックアップ装置。
【発明の詳細な説明】
【技術分野】
【０００１】
本発明は、レーザ光の光軸調整を行うための構造を有した光ヘッド及びこのような光ヘッドを用いた光ピックアップ装置に関する。
【背景技術】
【０００２】
光ピックアップ装置は、レーザダイオードから発するレーザ光を、コリメータレンズ、ビーム整形プリズム、対物レンズ等を通過させて情報記録媒体に照射し、情報記録媒体の表面で反射する反射光を光検出器で光信号として読取るものである。
【０００３】
レーザ光は、コリメータレンズにより平行光とされ、ビーム整形プリズムで円形ビームに整形され、ビームスプリッタを通して対物レンズで集束され、情報記録媒体に照射される。情報記録媒体で反射された反射光は、対物レンズを介してビームスプリッタで直角方向に反射され、光検出器で受光される。このようにレーザ光が一定の光路を通過するように、各光学部品は光軸を一致させて配置される。
【０００４】
レーザ光を発するレーザダイオードは、レーザ光の光軸が光ピックアップ装置の光軸と一致するように配置されるが、レーザダイオードは個々の製品によって光軸にばらつきがあるので、個々の製品毎にレーザダイオードの取り付け角度、位置を調整する必要がある。
【０００５】
そのため、レーザダイオードが固定された光ヘッドには、レーザ光の光軸を調整するための構造が設けられている。
【０００６】
従来の光ピックアップ装置の光ヘッドの光軸調整に関する構造について、図９乃至図１１に基づいて説明する。
【０００７】
図９は、従来例１の光ヘッドの概略図である。図１０は、従来例２の光ヘッドの概略図である。図１１は、従来例３の光ヘッドの概略図である。
【０００８】
例えば、従来例１の光ヘッド１０１は、レーザダイオード１１１と、レーザダイオード１１１を保持するホルダ１２１と、ホルダ１２１をハウジング１４１に固定するアダプタ１３１とからなり、ホルダ１２１はホルダ固定ネジ１７１によってアダプタ１３１に固定され、アダプタ１３１はアダプタ固定ネジ１８１によってハウジング１４１に固定される構成となっている。このホルダ固定ネジ１７１を出し入れしてホルダ１２１を傾けることでレーザダイオード１１１の傾きが調整され、また、アダプタ固定ネジ１８１を調整することによってホルダ１２１ごとアダプタ１３１を移動させてレーザダイオード１１１の位置が調整される構成となっている（特許文献１参照）。
【０００９】
また、従来例２の光ヘッド２０１は、レーザダイオード２１１と、レーザダイオード２１１の傾きを調整する調整板２２１と、レーザダイオード２１１を調整板２２１に固定する固定板２９１とから構成されている。調整板２２１は、平板がＵ字状になったものであり、一方の平坦部がハウジング２３１に固定され、両方の平坦部の略中央部に開口部２２３が設けられてレーザダイオード２１１が嵌入して固定されている。Ｕ字状の調整板２２１には、端部に調整ネジ２７１が設けられており、この調整ネジ２７１の出し入れによってＵ字の間隔を拡げたり狭めたりしてＵ字の平行度を調整することで、レーザダイオード２１１の傾きが調整できるようになっている。また、開口部２２３の径は、レーザダイオード２１１の径に対して若干大きめであるために、レーザダイオード２１１の位置が調整できるようになっている（特許文献２参照）。
【００１０】
また、従来例３の光ヘッド３０１は、レーザダイオード３１１と、レーザダイオード３１１を保持する保持ホルダ３８１と、保持ホルダ３８１を保持する固定座３２１とから構成されている。保持ホルダ３８１は、その中心部にレーザダイオード３１１を固定するための開口部３８３が設けられており、レーザダイオード３１１が固定され、その外縁は、球面加工されて球面部３８５が形成されている。一方、保持ホルダ３８１を保持する固定座３２１は、その中央部に保持ホルダ３８１を保持するための固定座開口部３２３が設けられ、この固定座開口部３２３には、保持ホルダ３８１の球面部３８５と当接する球面に加工された球面受け部３２５が設けられている。これによって、光ヘッド３０１は、球面部３８５と球面受け部３２５とが摺接しながら回動して、傾きが調整されるようになっている。また、レーザダイオード３１１の発光点が球面の中心にくるように配置されているため、傾きを変えても、発光点の位置が変化しないようになっている。（特許文献３参照）。
【特許文献１】特開平２−２９４９４９号公報
【特許文献２】特許第２８３５７７８号公報
【特許文献３】特開平５−８１６９３号公報
【発明の開示】
【発明が解決しようとする課題】
【００１１】
しかしながら、従来例においては、いずれにおいても光軸調整は面倒なものであって、調整時間に時間を要していた。
【００１２】
従来例１では、光軸調整をする場合、各ネジ１７１、１８１を出し入れする必要があり時間を要していた。また、ホルダ固定ネジ１７１を出し入れしてホルダ１２１を傾けることで、レーザダイオード１１１が傾けられるが、この時、レーザダイオード１１１の発光点の位置が変わってしまう。すなわち、ホルダ１２１は一方のホルダ固定ネジ１７１が支点となって傾けられるので、ホルダ１２１に固定されているレーザダイオード１１１の発光点は支点を中心にして移動することになる。したがって、レーザ光の傾きだけを調整したい場合であっても、同時に位置調整もする必要があった。
【００１３】
従来例２では、レーザダイオード２１１の傾きを調整する場合、１個の調整ネジ２７１で調整できるというメリットがあるものの、調整板２２１は調整ネジ２７１がある位置と反対側の端部を支点にして傾けられるので、調整板２２１に固定されたレーザダイオード２１１の発光点の位置が変化するという問題があった。また、位置調整をする場合には、やはり固定板２９１のネジを出し入れする必要があり時間を要していた。
【００１４】
従来例３では、レーザダイオード３１１の発光点の位置は変化しないものの、レーザダイオード３１１の位置調整をする場合には、固定座３２１が固定されているハウジングとの締結を解除して位置調整する必要があり時間を要していた。
【００１５】
本発明はこのような状況に鑑みてなされたものであり、発光点の位置を光ヘッドの光軸方向に対して変化させないで、容易に光軸調整を行うことができる光ヘッド及び光ピックアップ装置を提供することにある。
【課題を解決するための手段】
【００１６】
本発明に係る光ヘッドは、レーザダイオードを保持するレーザホルダと、該レーザホルダを保持するホルダ受け台とを備え、前記レーザダイオードからのレーザ光を情報記録媒体に照射して情報の記録／再生を行う光ヘッドにおいて、前記レーザホルダは、前記レーザダイオードを固定する枠体であり、該枠体の底部に突設された当接部を有し、前記ホルダ受け台は、前記当接部を当接支持する受け面及び前記レーザ光を通過させる貫通孔を有し、前記受け面は、前記光ヘッドの光軸に略垂直な平面であり、前記当接部は前記レーザダイオードの発光点を通り前記光軸に垂直な中心軸を有する円弧面としてあることを特徴とする。
【００１７】
この構成により、レーザ光の光軸調整のためにレーザホルダを傾けても、レーザホルダは中心軸に対して回動することになるので、発光点の位置は光ヘッドの光軸方向に変化しない。したがって、従来では、レーザホルダの角度を変えると発光点の位置が光ヘッドの光軸方向に変化していたので、角度を変える度に発光点の位置調整をする必要があったが、このような作業を簡略化できる。
【００１８】
また、受け面は光軸に略垂直な平面であるので、レーザホルダの当接部を受け面に当接させて移動しても、発光点の位置は光ヘッドの光軸方向に変化しない。すなわち、角度調整と位置調整を行っても発光点の光ヘッドの光軸方向に対して位置変化しないので、角度調整と位置調整とを同時に行うことができ、これによって、調整作業を円滑に行うことができる。
【００１９】
また、レーザホルダは、ネジ等の連結部材によってホルダ受け台に固定される構成でないので、構成部品が少なくて済む。また、角度調整又は位置調整する場合に、ネジ等の出し入いれをする必要がないので、調整作業時間が短縮される。
【００２０】
また、ホルダ受け台は、受け面が平面であるので容易に高精度に加工でき、製造コストを低く抑えることができる。
【００２１】
また、本発明に係る光ヘッドは、前記当接部は、前記枠体の対向する２箇所に一対形成してあることを特徴とする。
【００２２】
この構成により、レーザホルダは対向する２箇所に離れて並設された当接部によって受け面に当接されることになるので、安定してホルダ受け台に支持されることになる。
【００２３】
また、本発明に係る光ヘッドは、前記レーザホルダは、前記底部に対向する頭部に前記当接部に対応した頭頂部を有し、前記ホルダ受け台は、前記当接部が前記受け面を押圧する方向に前記頭頂部を押圧する押圧手段を有してあることを特徴とする。
【００２４】
この構成により、レーザホルダは押圧手段によってホルダ受け台に押圧支持されるので、常にレーザホルダの姿勢が一定に保持され、レーザホルダの位置調整、角度調整が行い易く、また、調整後の作業も行い易くなっている。すなわち、レーザホルダの姿勢が保持されない構造である場合には、調整後の状態を治具等によって仮固定する必要があるが、このような仮固定する必要がなくなる。
【００２５】
また、レーザホルダは押圧手段によって光ヘッドの光軸方向以外の方向（光ヘッドの光軸に対して垂直な方向）から押圧されないので、光軸に垂直な方向に容易に移動することができ、またレーザホルダを容易に傾けることができる。
【００２６】
また、本発明に係る光ヘッドは、前記頭頂部は、前記中心軸を有する円弧面からなる突起であり、前記押圧手段は、前記光軸に垂直な平面状の押圧面を有する押圧部材によって前記頭頂部を押圧する構成としてあることを特徴とする。
【００２７】
この構成により、当接部及び頭頂部は、発光点を通り光軸に垂直な中心軸をもつ円弧面により構成されているので、レーザホルダを傾けても、レーザホルダは中心軸に対して回動することになり、当接部が受け面に当接する当接点と中心軸との距離、及び頭頂部が押圧面に接する押圧接点と中心軸との距離が変化しない。すなわち、当接点と押圧接点との距離が一定であるので、押圧部材が頭頂部を押圧する力は変化せず、常に安定した状態でレーザホルダが押圧支持される。
【００２８】
また、当接部及び頭頂部は、発光点を通り光軸に垂直な中心軸をもつ円弧面からなっており、受け面と押圧面は、光軸に対して垂直な平面であって互いに平行であることから、レーザホルダを傾けて中心軸に対して回動させても、押圧面の押圧方向は常に光軸方向となるので、レーザホルダは安定した姿勢で押圧支持される。
【００２９】
また、本発明に係る光ヘッドは、前記中心軸から前記当接部の円弧面までの距離は、前記中心軸から前記頭頂部の円弧面までの距離より小さいことを特徴とする。
【００３０】
この構成により、円弧面で構成される当接部の半径を小さくすることで、半径のばらつきを小さくすることができ、発光点から受け面までの距離の変動を抑えることができる。
【００３１】
すなわち、レーザホルダが傾けられることによって当接部と受け面との当接点が変わるので、円弧面で構成される当接部の半径にばらつきがある場合、発光点から受け面までの距離が変化することになるが、このような距離変動が抑えられる。
【００３２】
また、本発明に係る光ヘッドは、前記当接部は、円弧面に連続して外接するテーパー面を有することを特徴とする。
【００３３】
この構成により、レーザホルダに当接部を設けたことによってできたレーザホルダとホルダ受け台との隙間が小さくなるので、レーザダイオードから発する熱はレーザホルダを介してホルダ受け台に伝達され、光ヘッドの放熱性を向上させることができる。
【００３４】
また、本発明に係る光ヘッドは、レーザダイオードを保持するレーザホルダと、該レーザホルダを保持するホルダ受け台とを備え、前記レーザダイオードからのレーザ光を情報記録媒体に照射して情報の記録／再生を行う光ヘッドにおいて、前記レーザホルダは、前記レーザダイオードを固定する枠体であり、該枠体の底部には２平面が交差する稜線部を突設した当接部が設けられ、前記ホルダ受け台は、前記当接部を当接支持する受け面及び前記レーザ光を通過させる貫通孔を有し、前記受け面は、前記光ヘッドの光軸に略垂直な平面であり、前記稜線部は、前記レーザダイオードの発光点を通り前記光軸に垂直な直線に一致していることを特徴とする。
【００３５】
この構成により、稜線部は発光点を通り受け面に当接していることになり、レーザ光の光軸調整のためにレーザホルダを傾けても、レーザホルダは稜線部に対して回動することになるので、発光点の位置は光軸方向に変化しない。したがって、従来では、レーザホルダの傾きを変えると発光点の位置が光軸方向に変化していたので、傾きを変える度に発光点の位置調整をする必要があったが、このような作業を簡略化できる。
【００３６】
また、受け面は光軸に略垂直な平面であるので、レーザホルダの当接部を受け面に当接させて移動させても、発光点の位置は光軸方向に変化しない。すなわち、角度調整又は位置調整を行っても発光点の光軸方向に対して位置変化しないので、角度調整と位置調整とを同時に行うことができ、これによって、調整作業を円滑に行うことができる。
【００３７】
また、受け面に当接する部分はレーザホルダの稜線部であり、レーザホルダを傾けてもレーザホルダが受け面に当接する部分は変わらないので、発光点は常に受け面と同一平面上にあり光軸方向にずれは最小限に抑えられる。
【００３８】
また、レーザホルダは、ネジ等の連結部材によってホルダ受け台に固定された構成でないので、構成部品が少なくて済む。また、角度調整又は位置調整する場合に、ネジ等の出し入いれをする必要がないので、調整作業時間が短縮される。
【００３９】
また、ホルダ受け台は、受け面が平面であるので容易に高精度に加工でき、また調整用のネジ穴等が設けられていないため、製造コストを抑えることができる。
【００４０】
また、当接部は２平面から構成されているので、当接部を容易に高精度に加工形成することができる。
【００４１】
また、本発明に係る光ヘッドは、前記当接部は、前記枠体の対向する２箇所に一対形成してあることを特徴とする。
【００４２】
この構成により、レーザホルダは対向する２箇所に離れて並設された稜線部によって受け面に当接されることになるので、安定してホルダ受け台に支持されることになる。
【００４３】
また、本発明に係る光ヘッドは、前記レーザホルダは、前記底部に対向する頭部に前記当接部に対応した頭頂部を有し、該頭頂部は、前記稜線部を中心軸とする円弧面からなる突起であり、前記ホルダ受け台は、前記光軸に垂直な平面状の押圧面を有する押圧部材によって前記頭頂部を押圧する手段を有することを特徴とする。
【００４４】
この構成により、レーザホルダは押圧手段によってホルダ受け台に押圧支持されているので、常にレーザホルダの姿勢が一定に保持され、レーザホルダの位置調整・角度調整を行い易く、また、調整後の作業も行い易くなっている。すなわち、レーザホルダの姿勢が保持されない構造である場合には、調整後の状態を治具等によって仮固定する必要があるが、このような仮固定する必要がなくなる。
【００４５】
また、レーザホルダは押圧手段によって光ヘッドの光軸方向以外の方向（光軸に対して垂直な方向）から押圧されないので、光軸に垂直な方向に容易に移動することができ、またレーザホルダを容易に傾けることができる。
【００４６】
また、頭頂部は稜線部と一致する中心軸をもつ円弧面からなっており、レーザホルダを傾けても、レーザホルダは稜線部に対して回動することになるので、稜線部が受け面に当接する当接点と頭頂部が押圧面に接する押圧接点との距離が変化しない。すなわち、当接点と押圧接点との距離が一定であるので、押圧部材が頭頂部を押圧する力は変化せず、常に安定した状態でレーザホルダが押圧支持される。
【００４７】
また、頭頂部は稜線部と一致する中心軸をもつ円弧面からなっており、受け面と押圧面は光軸に対して垂直な平面であって互いに平行であることから、レーザホルダを傾けて回動させても、押圧面の押圧方向は常に光軸方向となるので、レーザホルダは安定した姿勢で押圧支持される。
【００４８】
また、本発明に係る光ヘッドは、前記ホルダ受け台は、光ピックアップ装置のハウジングと一体化してあることを特徴とする。
【００４９】
この構成により、レーザホルダは、ホルダ受け台を介さずに光ピックアップ装置のハウジングに直接実装されるので、ホルダ受け台としての部品を削減することができ、製造コストを削減することができる。
【００５０】
本発明に係る光ピックアップ装置は、光ヘッドからのレーザ光を情報記録媒体に照射して情報の記録／再生を行う光ピックアップ装置において、光ヘッドは本発明にかかる光ヘッドであることを特徴とする。
【００５１】
この構成により、光ピックアップ装置のレーザ光軸の光軸調整を容易に行うことができるので、光軸調整作業効率を向上させることができる。
【発明の効果】
【００５２】
発明に係る光ヘッドによれば、レーザダイオードを固定するレーザホルダは、光ヘッドの光軸に垂直であって発光点を通る中心軸をもつ円弧面からなる当接部を有してある一方、ホルダ受け台は、光ヘッドの光軸に垂直な平面状の受け面を有しており、当接部が受け面に当接した構成となっているので、レーザ光の発光点を光軸方向に位置変化させないで、レーザホルダの角度調整、位置調整を行うことができる。
【００５３】
また、本発明に係る光ヘッドによれば、離れた２箇所に当接部が形成してあるので、レーザホルダは安定してホルダ受け台に支持される。
【００５４】
また、本発明に係る光ヘッドによれば、レーザホルダはホルダ受け台に対して押圧するように保持された構造であるため、容易にレーザ光の光軸を調整することができる。
【００５５】
また、本発明に係る光ヘッドによれば、レーザホルダは常に一定の圧力によって、ホルダ受け台に押圧されることになるので、常に安定した姿勢でレーザホルダを固定することができる。
【００５６】
また、本発明に係る光ヘッドによれば、当接部の半径のばらつきが小さいので、レーザホルダの傾きを調整することによって、発光点の位置が光軸方向に大きく変化することがない。
【００５７】
また、本発明に係る光ヘッドによれば、当接部に設けられたテーパー面によってレーザホルダとホルダ受け台との隙間が小さくなるので、光ヘッドの放熱性を向上させることができる。
【００５８】
また、本発明に係る光ヘッドによれば、レーザホルダは光ヘッドの光軸に垂直であって発光点を通る中心軸と一致する稜線部を有している一方、ホルダ受け台は、光ヘッドの光軸に垂直な平面状の受け面を有しており、稜線部が受け面に当接した構成となっているので、レーザ光の発光点を光軸方向に位置変化させないで、レーザホルダの角度調整、位置調整を行うことができる。
【００５９】
また、本発明に係る光ヘッドによれば、レーザホルダは光ピックアップ装置のハウジングに形成された受け面に直接当接しているので、ホルダ受け台としての部品を省略することができ、製造コストを削減することができる。
【００６０】
本発明に係る光ピックアップ装置によれば、本発明に係る光ヘッドが実装されているので、レーザダイオードの光軸調整を容易に調整することができる。
【発明を実施するための最良の形態】
【００６１】
以下、本発明の実施の形態を図面に基づいて説明する。
【００６２】
＜実施の形態１＞
本発明の実施の形態１に係る光ヘッドについて、図１乃至図５に基づいて説明する。
【００６３】
図１は、本発明の実施の形態１に係る光ヘッドの斜視図である。図２は、本発明の実施の形態１に係る光ヘッドのレーザホルダとホルダ受け台とを分離して示す分離斜視図である。図３は、レーザホルダ中心軸と光ヘッド中心軸とを一致させた状態において、図１の矢符Ａ−Ａからみた光ヘッドの断面概略図である。図４は、レーザホルダ中心軸を光ヘッド中心軸に対して傾けた状態において、図１の矢符Ａ−Ａからみた光ヘッドの断面概略図である。図５は、レーザホルダ中心軸を光ヘッド中心軸に対して傾けＹ方向に移動させた状態において、図１の矢符Ａ−Ａからみた光ヘッドの断面概略図である。
【００６４】
なお、図２において、構成部品である押圧部材５１は図示を省略してある。
【００６５】
光ピックアップ装置において、光ヘッド１のレーザダイオード１１から出射したレーザ光は、コリメータレンズにより平行光とされ、ビーム整形プリズムで円形ビームに整形され、ビームスプリッタを介して対物レンズで情報記録媒体に集光される。情報記録媒体から反射される反射光は、光検出器に検出されて情報が読取られるようになっている。これらの光学部品は、夫々の光軸が光ピックアップ装置の光軸に対して一致するように配置される。これによって、レーザ光は適切な状態で情報記録媒体に集光されるので、集光される位置が情報記録媒体のトラックからずれることがなくなり、トラッキングエラー等を生じさせないで、安定して情報を検出できるようになっている。
【００６６】
したがって、レーザダイオード１１は、レーザ光の光軸が光ピックアップ装置の光軸に一致するように配置される。ところが、レーザダイオード１１のレーザ光の光軸は個々の製品によってズレがある。そのため、レーザ光の光軸を調整する目的で、レーザダイオード１１を固定支持する光ヘッド１には、レーザ光の出射角度やレーザダイオード１１の発光点の位置を調整するための構造が設けられている。以下に、光ヘッド１の構造について説明する。
【００６７】
光ヘッド１は、レーザダイオード１１と、レーザダイオード１１を保持するレーザホルダ２１と、レーザホルダ２１を当接支持するホルダ受け台３１とを備えたものである。各構成部品は光ヘッド１の光軸Ｐを基準に配置される。
【００６８】
レーザホルダ２１は、４面の側壁により構成された筒状の枠体であり、枠体の中心を通るレーザホルダ中心軸ＣＨが光ヘッド１の光軸Ｐに一致させて配置される。レーザダイオード１１は、レーザダイオード中心軸ＣＬとレーザホルダ中心軸ＣＨとを一致させて、レーザホルダ２１の枠体内側に固定される。光ヘッド１の光軸Ｐは、光ピックアップ装置の光軸に一致させるので、レーザダイオード中心軸ＣＬやレーザホルダ中心軸ＣＨは、光ピックアップ装置の光軸に一致するように配置される（図２参照）。
【００６９】
なお、レーザダイオード１１から発射されるレーザ光の光軸は、製品によってばらつきがあるものの、レーザダイオード中心軸ＣＬと略一致しているので、光ピックアップ装置の光軸と略一致することになる。従って、レーザ光の光軸の調整は、略一致している光軸をより最適な状態にさせるための調整作業である。
【００７０】
レーザホルダ２１の対向する２つの側壁の底部２１ｂには、レーザ光の出射口を挟むようにして一対の当接部２３が突設してある。各当接部２３は、レーザダイオード１１の発光点ＥＰを通り光ヘッド１の光軸Ｐに垂直な中心軸Ｃをもつ半径ｒの円弧面により構成されている。したがって、レーザダイオード１１の発光点ＥＰは、両当接部２３、２３に接する受け面３２から一定距離Ｈ１に位置することになる（図３参照）。
【００７１】
なお、当接部２３は、任意の側壁の底部に一箇所にだけ形成してもよい。
【００７２】
レーザホルダ２１の枠体の底部２１ｂに対向する頭部２１ａには、各当接部２３に対応するように頭頂部２４が突設されている。両頭頂部２４、２４は、レーザダイオード１１の発光点ＥＰを通り光ヘッド１の光軸Ｐに垂直な中心軸Ｃをもつ半径Ｒの円弧面により構成されている。したがって、レーザダイオード１１の発光点ＥＰは、両頭頂部２４、２４に接する押圧面４３から一定距離Ｈ２に位置することになる（図３参照）。
【００７３】
また、中心軸Ｃから当接部２３を構成する円弧面までの距離（半径ｒ）は、中心軸Ｃから頭頂部２４を構成する円弧面までの距離（半径Ｒ）よりも小さく形成してある。円弧面の半径ｒのばらつきは、半径ｒを小さくする方が小さくなるので、当接部２３を構成する円弧面の半径を比較的小さくすることで、中心軸Ｃから当接部２３を構成する円弧面までの距離のばらつきを小さくすることができる。したがって、レーザ光軸調整の際にレーザホルダ１１を傾けた場合、当接部２３と受け面３２との当接点が変わるが、中心軸Ｃから当接部２３を構成する円弧面までの距離のばらつきが小さいので、発光点ＥＰから受け面３２までの距離はほとんど変化しない。
【００７４】
ホルダ受け台３１は、レーザホルダ２１を当接支持して、光ピックアップ装置のハウジング（不図示）に実装されるものである。つまり、レーザホルダ２１は、ホルダ受け台３１を介してハウジングに固定されることになる。
【００７５】
ホルダ受け台３１は、レーザホルダ２１の一対の当接部２３、２３と当接する平面状の受け面３２を有している。受け面３２には、レーザ光が通過する貫通孔３３が設けられており、貫通孔３３の中心軸は光ヘッド１の光軸Ｐと一致するようにしてある。受け面３２は、光ヘッド１の光軸Ｐに対し垂直になるように形成されている。これによって、レーザホルダ２１を光ヘッド１の光軸Ｐに垂直な方向（ＸＹ方向）に移動させても、発光点ＥＰの位置は光軸方向（Ｚ方向）に対して変化しないようになっている。
【００７６】
また、ホルダ受け台３１には、レーザホルダ２１を受け面３２に押圧する押圧手段（３４、４１）が設けられている。これによって、レーザホルダ２１がホルダ受け台３１に押圧されて、レーザホルダ２１の姿勢が保持される。
【００７７】
具体的には、押圧手段は、レーザホルダ２１に対して両側に並設された一対のガイド部３４と、ガイド頭部３４ａに設けられた押圧部材４１とにより構成されている（図１参照）。ガイド部３４は、レーザホルダ２１から一定の間隔があけられてホルダ受け台３１に並設されている。この間隔は、レーザ光の光軸調整の際にレーザホルダ２１を光ヘッド１の光軸Ｐに垂直な方向（ＸＹ方向）に位置移動させる場合があることから設けてある。
【００７８】
ガイド頭部３４ａには、押圧部材４１と係合する係合溝３７と、押圧部材４１をガイド部３４に固定するネジ５１を螺入するためのネジ穴３６が設けられてあり、押圧部材４１は、ガイド頭部３４ａにネジ５１で固定されている。
【００７９】
押圧部材４１は、押圧面４３が平面状に形成されてあり、押圧面４３が光ヘッド１の光軸Ｐに垂直になる状態で頭頂部２４を押圧するように配設されている（図３参照）。
【００８０】
当接部２３及び頭頂部２４は、発光点ＥＰを通り光ヘッド１の光軸Ｐに垂直な中心軸Ｃをもつ円弧面により構成されているので、レーザホルダ２１を傾けても、レーザホルダ２１は中心軸Ｃに対して回動することになり、当接部２３が受け面３２に当接する当接点と中心軸Ｃとの距離、及び頭頂部２４が押圧面４３に接する押圧接点と中心軸Ｃとの距離が変化しない。すなわち、当接点と押圧接点との距離が一定であるので、押圧部材４１が頭頂部２４を押圧する力は変化せず、常に安定した状態でレーザホルダ２１が押圧支持されることになる。
【００８１】
また、受け面３２と押圧面４３は、光ヘッド１の光軸Ｐに対して垂直な平面であって互いに平行であることから、レーザホルダ２１を傾けて中心軸Ｃに対して回動させても、押圧面４３の押圧方向は常に光軸方向となるので、レーザホルダ２１は安定した姿勢で押圧支持されることになる。
【００８２】
なお、押圧部材４１は、例えば、鉄、銅、アルミニウム等の金属、あるいはプラスチック等により構成される板バネである。
【００８３】
また、ガイド部３４と押圧部材４１によって構成された押圧手段は、ガイド部３４と押圧部材４１とを一体化して金属部品としレーザホルダ２１に対して並設して構成してもよい。このように、押圧手段を取り外し可能なガイド部品とすることによって、交換するだけで、種々の高さを有するレーザホルダに対応させることができる。
【００８４】
また、押圧部材４１をガイド部３４から延在させて形成し、押圧部材４１とガイド部３４とホルダ受け台３１を一体化した構成としてもよい。これによって、部品点数を削減することができる。
【００８５】
次に、レーザ光の光軸を光ヘッド１の光軸Ｐに合わせる際に行うレーザホルダ２１の角度調整及び位置調整について説明する。
【００８６】
まず、光ヘッド１は、光ヘッド調整治具（不図示）によって保持され、レーザホルダ２１の角度、位置がホルダ受け台３１に対して調整される。例えば、光ヘッド調整治具の調整アームによって、レーザホルダ２１を傾けたり移動させたりする。
【００８７】
具体的には、レーザ光の光軸が光ヘッド１の光軸Ｐに対して角度θずれている場合には、レーザホルダ２１を光ヘッド１の光軸Ｐに対して角度−θ分傾けられる（図４参照）。角度調整は、レーザホルダ２１の当接部２３を受け面３２に当接させながら、レーザホルダ２１を傾けることによって行われる。
【００８８】
このように、レーザ光の光軸調整のためにレーザホルダ２１を傾けても、受け面３２は、光ヘッド１の光軸Ｐに対して略垂直な平面であり、受け面３２に当接する当接部２３は、発光点ＥＰを通り受け面３２に平行な中心軸Ｃを有する円弧面からなっていることから、レーザホルダ２１は中心軸Ｃに対して回動することになるので、発光点ＥＰの位置は光軸方向（Ｚ方向）に変化しない（図４参照）。
【００８９】
また、レーザダイオードチップの実装位置がずれたことによって、発光点ＥＰが所定の位置から距離ｙずれ、かつ、レーザ光の光軸が光ヘッド１の光軸Ｐに対して角度θずれている場合には、レーザホルダ２１を光ヘッド１の光軸Ｐに対して垂直な方向に距離−ｙ移動させながら、光ヘッド１の光軸Ｐに対して角度−θ分傾けられる。角度調整及び位置調整は、受け面３２に対して当接部２３を当接させながら、レーザホルダ２１を移動させることによって行われる。
【００９０】
このように、レーザホルダ２１の当接部２３を受け面３２に当接させて平行に移動しても、受け面３２は光ヘッド１の光軸Ｐに略垂直な平面であるので、発光点ＥＰの位置は光軸方向（Ｚ方向）に変化しない（図５参照）。
【００９１】
これによって、光ヘッド１の光軸方向（つまり、発光点とコリメータレンズとの距離方向）の位置変化はないため、レーザダイオード１１の発光点とコリメータレンズとの距離は変化せず、焦点距離が変化することがないので、光軸調整をすることによって、コリメータレンズを通して平行光とされるレーザ光の平行度は変化せず、したがって、レーザ光の焦点をしぼって情報記録媒体に照射させる光スポットの形状は変化しない。すなわち、レーザ光の光軸調整の際、コリメータを通って平行光にされるレーザの平行度の変化を考慮にいれる必要がないので、容易にレーザ光の光軸調整できるようになっている。
【００９２】
また、レーザホルダ２１の角度調整と位置調整とを同時に行ってもよい。すなわち、従来では、レーザホルダ２１の角度を変えると発光点ＥＰの位置が光軸方向に変化していたので、角度を変える度に発光点の位置調整をする必要があったが、このような角度調整による位置補正をする必要がなくなるため、角度調整と位置調整とを同時に行っても角度及び位置ともに最適な状態に調整することができる。また、同時に行える分、調整時間が短縮化される。
【００９３】
また、レーザホルダ２１は、押圧手段によって光ヘッド１の光軸方向以外の方向（ＸＹ方向）から押圧されないので、光ヘッド１の光軸Ｐに垂直な方向（ＸＹ方向）に自由に移動させることができ、光ヘッド１の光軸Ｐに垂直な方向（ＸＹ方向）の調整は容易なものとなっている。すなわち、レーザホルダ２１は、ネジ等の連結部材によってホルダ受け台３１等に固定される構成でないので、角度調整又は位置調整する場合に、ネジ等の連結部品を一旦緩めてから位置調整をし、その後、再度ネジ等の連結部品を締めるといったような必要もなく、調整作業時間を短縮することができる。
【００９４】
光軸調整の後、調整後の状態が崩れないように、光ヘッド１を光ヘッド調整治具から取り外して、レーザホルダ２１は接着剤によって固定される。
【００９５】
光ヘッド１を光ヘッド調整治具から取り外しても、レーザホルダ２１は、押圧手段によってホルダ受け台３１に押圧支持されて、常にレーザホルダ２１の姿勢が保持されているので、光軸調整後の作業も行い易くなっている。すなわち、レーザホルダ２１の姿勢が保持されない構造である場合には、調整後の状態を治具等によって仮固定しておく必要があるが、このような仮固定をする必要がない。
【００９６】
＜実施の形態２＞
本発明の実施の形態２に係る光ヘッドについて、図６に基づいて説明する。
【００９７】
図６は、本発明の実施の形態２に係る光ヘッドにおいて、図１における矢符Ａ−Ａと同一箇所の断面概略図であり、レーザホルダ中心軸と光ヘッドの光軸とが一致した状態を示す断面概略図である。
【００９８】
本実施の形態は、実施の形態１の構成と略同じである。すなわち、光ヘッド１は、レーザダイオード１１と、レーザダイオード１１を保持するレーザホルダ２１と、レーザホルダ２１と、当接支持するホルダ受け台３１とを備えたものであり、実施の形態１と異なる点は、当接部２３の構造のみであるので、この点について説明する。
【００９９】
レーザホルダ２１に設けられた当接部２３は、実施の形態１と同様に、レーザホルダ２１の枠体の底部２１ｂに、レーザ光の出射口を挟むようにして一対の当接部２３が突設してある。両当接部２３、２３は、レーザダイオード１１の発光点ＥＰを通り光ヘッド１の光軸Ｐに垂直な中心軸Ｃをもつ半径ｒの円弧面により構成されている。したがって、レーザダイオード１１の発光点ＥＰは、両当接部２３、２３に接する受け面３２から一定距離に位置することになる。
【０１００】
各当接部２３には、円弧面に連続的に所定の角度で外接するテーパー面２７、２７が形成されている。つまり、レーザホルダ２１に当接部２３を設けたことによってできたレーザホルダ２１とホルダ受け台３１との隙間を小さくしている。これによって、レーザダイオード１１から発する熱はレーザホルダ２１を介してホルダ受け台３１に伝達されるので、光ヘッド１の放熱性が向上している。
【０１０１】
なお、ホルダ受け台３１の押圧部材４１を鉄、銅等の熱伝統率の高い材料により構成することで、光ヘッド１の放熱性を向上させてもよい。
【０１０２】
さらに、ホルダ受け台３１の頭頂部２４と押圧部材４１とが当接する面積を大きくすることで、光ヘッド１の放熱性を向上させてもよい。すなわち、頭頂部２４を構成する円弧面の半径を大きくすることによって、頭頂部２４と押圧部材４１とが当接する面積を大きくし、放熱性を向上させてもよい。
【０１０３】
これによって、レーザダイオード１１の寿命を延ばすことができる。
【０１０４】
＜実施の形態３＞
本発明の実施の形態３に係る光ヘッドについて、図７に基づいて説明する。
【０１０５】
図７は、本発明の実施の形態３に係る光ヘッドにおいて、図１の矢符Ａ−Ａと同一箇所の断面概略図であり、レーザホルダの中心軸と光ヘッドの光軸とが一致した状態を示す断面概略図である。
【０１０６】
本実施の形態の光ヘッド１は、レーザダイオード１１と、レーザダイオード１１を保持するレーザホルダ２１と、レーザホルダ２１を当接支持するホルダ受け台３１とを備えたものである。各構成部品は光ヘッド１の光軸Ｐを基準に配置される。
【０１０７】
レーザホルダ２１は、４面の側壁により構成された筒状の枠体であり、枠体の中心を通るレーザホルダ中心軸ＣＨが光ヘッド１の光軸Ｐに一致させて配置されている。レーザダイオード１１は、レーザダイオード中心軸ＣＬと、レーザホルダ中心軸ＣＨとを一致させて、レーザホルダ２１の枠体内側に固定される。光ヘッド１の光軸Ｐは、光ピックアップ装置の光軸に一致させるので、レーザダイオード中心軸ＣＬやレーザホルダ中心軸ＣＨは、光ピックアップ装置の光軸に一致するように配置される。
【０１０８】
レーザホルダ２１の枠体の底部２１ｂには、レーザ光の出射口を挟むようにして一対の当接部２３が突設してある。各当接部２３は、２平面２９、２９を交差させて形成された稜線部２５を有する突起であり、両稜線部２５、２５は、レーザダイオード１１の発光点ＥＰを通り光ヘッド１の光軸Ｐに垂直な直線と一致するようになっている。したがって、レーザダイオード１１の発光点ＥＰは、両稜線部２５、２５と同一線上にあり、かつ、稜線部２５に当接する受け面３２と同一平面上に存在することになる。
【０１０９】
レーザホルダ２１の枠体の底部２１ｂに対向する頭部２１ａには、各当接部２３、２３に対応するように頭頂部２４が突設されている。両頭頂部２４、２４は、レーザダイオード１１の発光点ＥＰを通り光ヘッド１の光軸Ｐに垂直な中心軸Ｃ（すなわち、稜線部２５を通る直線）をもつ半径の円弧面により構成されている。したがって、レーザダイオード１１の発光点ＥＰは、両頭頂部２４、２４に接する押圧面４３から一定距離Ｈ３に位置することになる。
【０１１０】
ホルダ受け台３１は、レーザホルダ２１を当接支持し、光ピックアップ装置のハウジング（不図示）に実装されるものである。つまり、レーザホルダ２１は、ホルダ受け台３１を介してハウジングに固定されることになる。
【０１１１】
ホルダ受け台３１は、レーザホルダ２１の一対の稜線部２５、２５と当接する平面状の受け面３２を有している。受け面３２には、レーザ光が通過するための貫通孔３３が設けられており、貫通孔３３の中心軸は光ヘッド１の光軸Ｐと一致するようになっている。この光ヘッド１の光軸Ｐに対し、受け面３２は垂直になるように形成されている。
【０１１２】
このような構成によって、光ヘッド１の角度調整及び位置調整が容易に行われるようになっている。すなわち、稜線部２５は発光点ＥＰを通る直線に一致し受け面３２に当接していることになり、レーザ光の光軸調整のためにレーザホルダ２１を傾けても、レーザホルダ２１は稜線部２５に対して回動することになるので、発光点ＥＰの位置は光ヘッド１の光軸方向に変化しない。また、受け面３２は光ヘッド１の光軸に略垂直な平面であるので、レーザホルダ２１の稜線部２５を受け面３２に当接させて移動しても、発光点ＥＰの位置は光軸方向に変化しない。
【０１１３】
これによって、レーザ光の照射角度の角度調整と、レーザダイオード１１の発光点の位置調整とを同時に行うことができる。
【０１１４】
また、ホルダ受け台３１には、レーザホルダ２１を受け面３２に押圧する押圧手段が設けられている。これによって、レーザホルダ２１がホルダ受け台３１に押圧されて、レーザホルダ２１の姿勢が保持される。
【０１１５】
具体的な押圧手段は、実施の形態１に示したものと同様であるので、説明は省略する。
【０１１６】
また、レーザホルダ２１の角度調整及び位置調整について、実施の形態１と同様であるので説明を省略する。
【０１１７】
＜実施の形態４＞
本発明の実施の形態４に係る光ヘッドについて、図８に基づいて説明する。
【０１１８】
図８は、本発明の実施の形態４に係る光ヘッドの斜視図である。
【０１１９】
本実施の形態は、上述のホルダ受け台３１を光ピックアップ装置のハウジング６１と一体化したものである。
【０１２０】
本実施の形態の光ヘッド１は、レーザダイオード１１と、レーザダイオード１１を保持するレーザホルダ２１と、レーザホルダ２１を当接支持するホルダ受け台３１を一体化したハウジング６１とを備えたものである。これによって、光ヘッド１は、光ピックアップ装置のハウジング６１に直接実装されて、ホルダ受け台３１としての部品が必要なくなるので、その分、製品コストが削減される。
【０１２１】
レーザホルダ２１は、実施の形態１乃至３のいずれであってもよい。つまり、レーザホルダ２１には、レーザダイオード１１が固定されており、レーザホルダ２１の枠体の底部２１ｂには、ハウジング６１に形成される受け面３２と当接する当接部２３が形成されている。
【０１２２】
ハウジング６１は、レーザホルダ２１及び他の光ピックアップ装置を構成する部品、例えばコリメータレンズ、プリズム、対物レンズ、光検出器等が、実装される筐体である。
【０１２３】
ハウジング６１には、レーザホルダ２１の一対の当接部２３、２３が当接する平面状の受け面３２が設けられている。受け面３２には、レーザ光が通過するための貫通孔３３が設けられており、貫通孔３３の中心軸は光ヘッド１の光軸Ｐと一致するようになっている。この光ヘッド１の光軸Ｐに対し、受け面３２は垂直になるように形成されている。
【０１２４】
このような構成によって、実施の形態１と同様の効果が得られる。つまり、レーザ光の光軸調整のためにレーザホルダ２１を傾けても、レーザホルダ２１は発光点ＥＰを通り光ヘッド１の光軸Ｐに垂直な中心軸Ｃに対して回動することになるので、発光点ＥＰの位置は光軸方向に変化しない。また、レーザホルダ２１の位置を光ヘッド１の光軸Ｐに垂直な方向（ＸＹ方向）に調整してレーザ光の発光点ＥＰの位置調整をしても、発光点ＥＰの位置は光軸方向（Ｚ方向）に変化しない。また、角度調整又は位置調整を行っても発光点ＥＰの光軸方向に対して位置変化しないので、角度調整と位置調整とを同時に行うことができる。
【０１２５】
また、ハウジング６１には、レーザホルダ２１を受け面３２に向けて押圧する押圧手段が設けられている。これによって、レーザホルダ２１が受け面３２に押圧されて、レーザホルダ２１の姿勢が保持される。
【０１２６】
具体的な押圧手段は、実施の形態１に示したものと同様であるので、説明は省略する。
【０１２７】
次に、光ヘッド１の調整方法について説明する。
【０１２８】
ハウジング６１に光学部品が実装される前に光ヘッド１の光軸Ｐを調整する場合は、実施の形態１と同様に、光ヘッド１を光ヘッド調整治具によって保持し、レーザホルダ２１の角度、位置が調整される。
【０１２９】
ハウジング６１に光学部品が実装された後に光ヘッド１の光軸Ｐを調整する場合は、光ピックアップ装置としての機能が働くので、直接、光検出器の出力を測定しながら、光ヘッド１の光軸調整が行われる。この場合、光ヘッド１の実装時における光軸のズレがなくなるので、より最適に光軸調整を行うことができる。
【０１３０】
＜実施の形態５＞
本発明の実施の形態５に係る光ピックアップ装置（不図示）について説明する。
【０１３１】
光ピックアップ装置は、実施の形態１乃至４で説明した光ヘッド１、レーザダイオード１１から照射されるレーザ光を平行光にするコリメータレンズ、平行光にされたレーザ光を円形に整形する整形プリズム、整形されたレーザ光の焦点を絞って照射させる対物レンズ、情報記録媒体から反射してくる光を受光し信号を検出する検出器等から構成されている。
【０１３２】
この構成によって、レーザダイオード１１のレーザ光の光軸を調整するために、レーザホルダ２１を傾けても、光ヘッド１の光軸方向（つまり、発光点とコリメータレンズとの距離方向）の位置変化がないため、レーザダイオード１１の発光点とコリメータレンズとの距離が変化せず、焦点距離が変化することがない。すなわち、光軸調整をすることによって、コリメータレンズを通して平行光とされるレーザ光の平行度の変化がなく、レーザ光の焦点をしぼって情報記録媒体に照射させる光スポットの形状にも変化がないので、光ピックアップ装置の光軸調整を容易にすることができる。したがって、光ピックアップ装置の生産効率を向上させることができる。
【図面の簡単な説明】
【０１３３】
【図１】本発明の実施の形態１に係る光ヘッドの斜視図である。
【図２】本発明の実施の形態１に係る光ヘッドのレーザホルダとホルダ受け台とを分離して示す分離斜視図である。
【図３】レーザホルダ中心軸と光ヘッド中心軸とを一致させた状態において、図１の矢符Ａ−Ａからみた光ヘッドの断面概略図である。
【図４】レーザホルダ中心軸を光ヘッド中心軸に対して傾けた状態において、図１の矢符Ａ−Ａからみた光ヘッドの断面概略図である。
【図５】レーザホルダ中心軸を光ヘッド中心軸に対して傾けＹ方向に移動させた状態において、図１の矢符Ａ−Ａからみた光ヘッドの断面概略図である。
【図６】本発明の実施の形態２に係る光ヘッドにおいて、図１における矢符Ａ−Ａと同一箇所の断面概略図であり、レーザホルダの中心軸と光ヘッドの光軸とが一致した状態を示す断面概略図である。
【図７】本発明の実施の形態３に係る光ヘッドにおいて、図１の矢符Ａ−Ａと同一箇所の断面概略図であり、レーザホルダの中心軸と光ヘッドの光軸とが一致した状態を示す断面概略図である。
【図８】本発明の実施の形態４に係る光ヘッドの斜視図である。
【図９】従来例１の光ヘッドの概略図である。
【図１０】従来例２の光ヘッドの概略図である。
【図１１】従来例３の光ヘッドの概略図である。
【符号の説明】
【０１３４】
１            光ヘッド
１１          レーザダイオード
２１          レーザホルダ
２１ａ        頭部
２１ｂ        底部
２３          当接部
２４          頭頂部
２５          稜線部
２７          テーパー面
２９          平面
３１          ホルダ受け台
３２          受け面
３３          貫通孔
３４          ガイド部（押圧手段）
３４ａ        ガイド頭部
４１          押圧部材（押圧手段）
４３          押圧面
６１          ハウジング
ＥＰ          発光点
Ｐ            光ヘッド１の光軸
ＣＨ          ホルダ中心軸
ＣＬ          レーザダイオード中心軸
【図１】
2007012184.tif 000003
【図２】
2007012184.tif 000004
【図３】
2007012184.tif 000005
【図４】
2007012184.tif 000006
【図５】
2007012184.tif 000007
【図６】
2007012184.tif 000008
【図７】
2007012184.tif 000009
【図８】
2007012184.tif 000010
【図９】
2007012184.tif 000011
【図１０】
2007012184.tif 000012
【図１１】
2007012184.tif 000013